(57)【要約】【課題】高調波規制の逸脱を防止することが可能なスイッチング電源装置を提供する。【解決手段】スイッチング電源装置１００は、入力交流電圧を直流電圧に変換する力率改善回路１と、前記変換された直流電圧を昇圧して負荷に供給するＤＣ−ＤＣコンバータ部５２と、力率改善回路１の誤動作を検知する誤動作検知回路６と、誤動作検知回路６が力率改善回路１の誤動作を検知した場合、ＤＣ−ＤＣコンバータ部５２の動作を停止させる停止回路７とを備える。【選択図】図１
2013223358.tif 000002
【特許請求の範囲】
【請求項１】
第１のスイッチング素子を含み、前記第１のスイッチング素子のスイッチング動作によって入力交流電圧を直流電圧に変換する力率改善回路と、
前記変換された直流電圧を昇圧して負荷に供給するＤＣ−ＤＣコンバータ回路と、
前記第１のスイッチング素子のスイッチング制御を行なう力率改善制御回路とを備えるスイッチング電源装置であって、
前記力率改善回路の誤動作を検知する誤動作検知部と、
前記誤動作検知部が前記力率改善回路の誤動作を検知した場合、前記ＤＣ−ＤＣコンバータ回路の動作を停止させる停止部とを備えることを特徴とするスイッチング電源装置。
【請求項２】
前記誤動作検知部は、
前記力率改善制御回路による前記第１のスイッチング素子のスイッチング制御が開始された後、前記力率改善回路の出力電圧を検出する検出回路と、
前記検出された出力電圧に基づいて、前記力率改善回路の誤動作を検知する誤動作検知回路とを備え、
前記停止部は、
前記誤動作検知回路が前記力率改善回路の誤動作を検知した場合、前記ＤＣ−ＤＣコンバータ回路の前記負荷への電圧供給を停止させることを特徴とする請求項１に記載のスイッチング電源装置。
【請求項３】
前記誤動作検知部は、
前記力率改善制御回路による前記第１のスイッチング素子のスイッチング制御が開始された後、前記力率改善回路の出力電圧を検出する検出回路と、
前記検出された出力電圧に基づいて、前記力率改善回路の誤動作を検知する誤動作検知回路とを備え、
前記停止部は、
前記誤動作検知回路が前記力率改善回路の誤動作を検知した場合、前記力率改善回路から前記ＤＣ−ＤＣコンバータ回路への前記直流電圧の供給を停止させることを特徴とする請求項１に記載のスイッチング電源装置。
【請求項４】
前記誤動作検知部は、
前記力率改善制御回路による前記第１のスイッチング素子のスイッチング制御が開始された後、前記力率改善回路への入力交流電流を検出する検出部と、
前記検出された入力交流電流に基づいて、前記力率改善回路の誤動作を検知する誤動作検知回路とを備え、
前記停止部は、
前記誤動作検知回路が前記力率改善回路の誤動作を検知した場合、前記ＤＣ−ＤＣコンバータ回路の前記負荷への電圧供給を停止させることを特徴とする請求項１に記載のスイッチング電源装置。
【請求項５】
前記誤動作検知部は、
前記力率改善制御回路による前記第１のスイッチング素子のスイッチング制御が開始された後、前記力率改善回路への入力交流電流を検出する検出部と、
前記検出された入力交流電流に基づいて、前記力率改善回路の誤動作を検知する誤動作検知回路とを備え、
前記停止部は、
前記誤動作検知回路が前記力率改善回路の誤動作を検知した場合、前記力率改善回路から前記ＤＣ−ＤＣコンバータ回路への前記直流電圧の供給を停止させることを特徴とする請求項１に記載のスイッチング電源装置。
【請求項６】
前記ＤＣ−ＤＣコンバータ回路は、
トランスと、
前記トランスの１次側の巻線に接続された第２のスイッチング素子と、
前記第２のスイッチング素子のスイッチング動作を制御する１次側制御回路とを備え、
前記第２のスイッチング素子のスイッチング動作によって、前記変換された直流電圧を昇圧するものであり、
前記停止部は、前記誤動作検知回路が前記力率改善回路の誤動作を検知した場合、前記１次側制御回路に前記第２のスイッチング素子のスイッチング動作を停止させることを特徴とする請求項２または４に記載のスイッチング電源装置。
【請求項７】
前記停止部は、前記力率改善回路と前記ＤＣ−ＤＣコンバータ回路との間に設けられるスイッチと、
前記誤動作検知回路が前記力率改善回路の誤動作を検知した場合、前記スイッチを非導通状態にする停止回路とを備えることを特徴とする請求項３または５に記載のスイッチング電源装置。
【請求項８】
スイッチング素子を含み、前記スイッチング素子のスイッチング動作によって入力交流電圧を直流電圧に変換する力率改善回路と、
前記変換された直流電圧を昇圧して負荷に供給するＤＣ−ＤＣコンバータ回路と、
前記スイッチング素子のスイッチング制御を行なう力率改善制御回路とを備えるスイッチング電源装置であって、
前記力率改善回路の誤動作を検知する誤動作検知部と、
前記誤動作検知部が前記力率改善回路の誤動作を検知した場合、警告を発する警告発生部とを備えることを特徴とするスイッチング電源装置。
【請求項９】
前記誤動作検知部は、
前記力率改善制御回路による前記スイッチング素子のスイッチング制御が開始された後、前記力率改善制御回路の出力電圧を検出する検出回路と、
前記検出された出力電圧に基づいて、前記力率改善回路の誤動作を検知する誤動作検知回路とを備え、
前記警告発生部は、前記誤動作検知回路が前記力率改善回路の誤動作を検知した場合、警告を発することを特徴とする請求項８に記載のスイッチング電源装置。
【請求項１０】
前記誤動作検知部は、
前記力率改善制御回路による前記スイッチング素子のスイッチング制御が開始された後、前記力率改善回路への入力交流電流を検出する検出部と、
前記検出された入力交流電流に基づいて、前記力率改善回路の誤動作を検知する誤動作検知回路とを備え、
前記警告発生部は、前記誤動作検知回路が前記力率改善回路の誤動作を検知した場合、警告を発することを特徴とする請求項８に記載のスイッチング電源装置。
【請求項１１】
スイッチング素子を含み、前記スイッチング素子のスイッチング動作によって入力交流電圧を直流電圧に変換する力率改善回路と、
前記変換された直流電圧を昇圧して負荷に供給するＤＣ−ＤＣコンバータ回路と、
前記スイッチング素子のスイッチング制御を行なう力率改善制御回路とを備えるスイッチング電源装置であって、
前記力率改善回路の誤動作を検知する誤動作検知部と、
前記誤動作検知部が前記力率改善回路の誤動作を検知した場合、前記ＤＣ−ＤＣコンバータ回路の動作を停止させる停止部と、
前記誤動作検知部が前記力率改善回路の誤動作を検知した場合、警告を発する警告発生部とを備えることを特徴とするスイッチング電源装置。
【発明の詳細な説明】
【技術分野】
【０００１】
本発明は、スイッチング電源装置に関し、特に、高調波対応の力率改善回路を用いたスイッチング電源装置に関する。
【背景技術】
【０００２】
スイッチング電源装置の高調波対策として、高効率かつ高力率を実現するアクティブクランプ方式の力率改善回路（ＰＦＣ回路）が用いられる。力率改善回路を制御するための制御ＩＣ（Integrated Circuit）は、各メーカより提供されている。
【０００３】
ここで、スイッチング電源装置の入力側の平滑回路がコンデンサインプット型である場合、入力電流が流れるのは、整流後の電圧が入力平滑コンデンサの充電電圧より高い期間のみとなるので、入力電流の導通角が狭く、力率を低下させるという問題があった。そこで、この問題を解決するため、従来、力率改善機能を有した昇圧チョッパー回路を備えたスイッチング電源装置が用いられている。
【０００４】
このような構成を採用するものとして、たとえば、特許文献１には、以下のようなスイッチング電源装置が開示されている。すなわち、スイッチング素子を含み、前記スイッチング素子の切り替え動作によって入力交流電圧を直流電圧に変換するＰＦＣ回路と、前記変換された直流電圧を昇圧して負荷に供給するＤＣ−ＤＣコンバータ回路と、前記スイッチング素子の切り替え制御を行なうＰＦＣ制御回路と、前記入力交流電圧に基づいて前記ＰＦＣ制御回路に電圧を出力することにより、前記ＰＦＣ制御回路を起動するＰＦＣ起動電源回路と、前記ＰＦＣ制御回路による前記スイッチング素子の切り替え制御が開始された後、前記ＰＦＣ制御回路に電圧を出力するＰＦＣ補助電源回路と、前記ＰＦＣ補助電源回路が電圧出力を開始してから所定時間経過後に前記ＰＦＣ起動電源回路の電圧出力を停止させるＰＦＣ起動電源停止回路とを備えるスイッチング電源装置が、特許文献１に開示されている。
【先行技術文献】
【特許文献】
【０００５】
【特許文献１】特開２００７−３２９９９６号公報（２００７年１２月２０日公開）
【発明の概要】
【発明が解決しようとする課題】
【０００６】
特許文献１のスイッチング電源装置では、力率改善回路が何らかの故障で停止した場合、後段のＤＣ−ＤＣコンバータ回路が動作をし続けると、高調波規制を逸脱することになる。現在、高調波規制は自主規制であるが、高調波規制を遵守することが望ましい。
【０００７】
本発明は、上記の問題点を解決するためになされたもので、その目的は、高調波規制の逸脱を防止することが可能なスイッチング電源装置を提供することにある。
【課題を解決するための手段】
【０００８】
上記の課題を解決するために、本発明に係るスイッチング電源装置は、第１のスイッチング素子を含み、前記第１のスイッチング素子のスイッチング動作によって入力交流電圧を直流電圧に変換する力率改善回路と、前記変換された直流電圧を昇圧して負荷に供給するＤＣ−ＤＣコンバータ回路と、前記第１のスイッチング素子のスイッチング制御を行なう力率改善制御回路とを備えるスイッチング電源装置であって、前記力率改善回路の誤動作を検知する誤動作検知部と、前記誤動作検知部が前記力率改善回路の誤動作を検知した場合、前記ＤＣ−ＤＣコンバータ回路の動作を停止させる停止部とを備えることを特徴としている。
【０００９】
上記の構成によれば、誤動作検知部が力率改善回路の誤動作を検知した場合、停止部がＤＣ−ＤＣコンバータ回路の動作を停止させる。そのため、力率改善回路が誤動作した状態でＤＣ−ＤＣコンバータ回路が動作し続けることによって高調波規制を逸脱することを未然に防ぐことができる。したがって、高調波規制の逸脱を防止することが可能なスイッチング電源装置を提供することができる。
【００１０】
本発明に係るスイッチング電源装置では、前記誤動作検知部は、前記力率改善制御回路による前記第１のスイッチング素子のスイッチング制御が開始された後、前記力率改善制御回路の出力電圧を検出する検出回路と、前記検出された出力電圧に基づいて、前記力率改善回路の誤動作を検知する誤動作検知回路とを備え、前記停止部は、前記誤動作検知回路が前記力率改善回路の誤動作を検知した場合、前記ＤＣ−ＤＣコンバータ回路の前記負荷への電圧供給を停止させることが好ましい。
【００１１】
上記の構成によれば、力率改善制御回路による第１のスイッチング素子のスイッチング制御が開始された後、検出回路が力率改善制御回路の出力電圧を検出する。ここで、力率改善回路が誤動作すると、検出回路が検出する電圧も変化する。これにより、誤動作検知回路は、力率改善回路の誤動作を検知することができる。また、停止部は、誤動作検知回路が力率改善回路の誤動作を検知した場合、ＤＣ−ＤＣコンバータ回路の負荷への電圧供給を停止させる。これにより、高調波規制の逸脱を防止することができる。
【００１２】
本発明に係るスイッチング電源装置では、前記誤動作検知部は、前記力率改善制御回路による前記第１のスイッチング素子のスイッチング制御が開始された後、前記力率改善制御回路の出力電圧を検出する検出回路と、前記検出された出力電圧に基づいて、前記力率改善回路の誤動作を検知する誤動作検知回路とを備え、前記停止部は、前記誤動作検知回路が前記力率改善回路の誤動作を検知した場合、前記力率改善回路から前記ＤＣ−ＤＣコンバータ回路への前記直流電圧の供給を停止させることが好ましい。
【００１３】
上記の構成によれば、力率改善制御回路による第１のスイッチング素子のスイッチング制御が開始された後、検出回路が力率改善制御回路の出力電圧を検出する。ここで、力率改善回路が誤動作すると、検出回路が検出する電圧も変化する。これにより、誤動作検知回路は、力率改善回路の誤動作を検知することができる。また、停止部は、誤動作検知回路が力率改善回路の誤動作を検知した場合、力率改善回路からＤＣ−ＤＣコンバータ回路への直流電圧の供給を停止させる。これにより、ＤＣ−ＤＣコンバータ回路の動作を停止させて、高調波規制の逸脱を防止することができる。
【００１４】
本発明に係るスイッチング電源装置では、前記誤動作検知部は、前記力率改善制御回路による前記第１のスイッチング素子のスイッチング制御が開始された後、前記力率改善回路への入力交流電流を検出する検出部と、前記検出された入力交流電流に基づいて、前記力率改善回路の誤動作を検知する誤動作検知回路とを備え、前記停止部は、前記誤動作検知回路が前記力率改善回路の誤動作を検知した場合、前記ＤＣ−ＤＣコンバータ回路の前記負荷への電圧供給を停止させることが好ましい。
【００１５】
上記の構成によれば、力率改善制御回路による第１のスイッチング素子のスイッチング制御が開始された後、検出部が力率改善回路への入力交流電流を検出する。ここで、力率改善回路が誤動作すると、検出部が検出する入力交流電流波形が変化する。これにより、誤動作検知回路は、力率改善回路の誤動作を検知することができる。また、停止部は、誤動作検知回路が力率改善回路の誤動作を検知した場合、ＤＣ−ＤＣコンバータ回路の負荷への電圧供給を停止させる。これにより、高調波規制の逸脱を防止することができる。
【００１６】
本発明に係るスイッチング電源装置では、前記誤動作検知部は、前記力率改善制御回路による前記第１のスイッチング素子のスイッチング制御が開始された後、前記力率改善回路への入力交流電流を検出する検出部と、前記検出された入力交流電流に基づいて、前記力率改善回路の誤動作を検知する誤動作検知回路とを備え、前記停止部は、前記誤動作検知回路が前記力率改善回路の誤動作を検知した場合、前記力率改善回路から前記ＤＣ−ＤＣコンバータ回路への前記直流電圧の供給を停止させることが好ましい。
【００１７】
上記の構成によれば、力率改善制御回路による第１のスイッチング素子のスイッチング制御が開始された後、検出部が力率改善回路への入力交流電流を検出する。ここで、力率改善回路が誤動作すると、検出部が検出する入力交流電流波形が変化する。これにより、誤動作検知回路は、力率改善回路の誤動作を検知することができる。また、停止部は、誤動作検知回路が力率改善回路の誤動作を検知した場合、力率改善回路からＤＣ−ＤＣコンバータ回路への直流電圧の供給を停止させる。これにより、ＤＣ−ＤＣコンバータ回路の動作を停止させて、高調波規制の逸脱を防止することができる。
【００１８】
本発明に係るスイッチング電源装置では、前記ＤＣ−ＤＣコンバータ回路は、トランスと、前記トランスの１次側の巻線に接続された第２のスイッチング素子と、前記第２のスイッチング素子のスイッチング動作を制御する１次側制御回路とを備え、前記第２のスイッチング素子のスイッチング動作によって、前記変換された直流電圧を昇圧するものであり、前記停止部は、前記誤動作検知回路が前記力率改善回路の誤動作を検知した場合、前記１次側制御回路に前記第２のスイッチング素子のスイッチング動作を停止させることが好ましい。
【００１９】
上記の構成によれば、停止部は、誤動作検知回路が力率改善回路の誤動作を検知した場合、１次側制御回路に第２のスイッチング素子のスイッチング動作を停止させる。これにより、ＤＣ−ＤＣコンバータ回路の負荷への電圧供給を停止させることができるので、高調波規制の逸脱を防止することができる。
【００２０】
本発明に係るスイッチング電源装置では、前記停止部は、前記力率改善回路と前記ＤＣ−ＤＣコンバータ回路との間に設けられるスイッチと、前記誤動作検知回路が前記力率改善回路の誤動作を検知した場合、前記スイッチを非導通状態にする停止回路とを備えることが好ましい。
【００２１】
上記の構成によれば、誤動作検知回路が力率改善回路の誤動作を検知した場合、停止回路が、力率改善回路とＤＣ−ＤＣコンバータ回路との間に設けられるスイッチを非導通状態にする。これにより、力率改善回路から前記ＤＣ−ＤＣコンバータ回路への直流電圧の供給を停止させることができるので、高調波規制の逸脱を防止することができる。
【００２２】
上記の課題を解決するために、本発明に係るスイッチング電源装置は、スイッチング素子を含み、前記スイッチング素子のスイッチング動作によって入力交流電圧を直流電圧に変換する力率改善回路と、前記変換された直流電圧を昇圧して負荷に供給するＤＣ−ＤＣコンバータ回路と、前記スイッチング素子のスイッチング制御を行なう力率改善制御回路とを備えるスイッチング電源装置であって、前記力率改善回路の誤動作を検知する誤動作検知部と、前記誤動作検知部が前記力率改善回路の誤動作を検知した場合、警告を発する警告発生部とを備えることを特徴としている。
【００２３】
上記の構成によれば、誤動作検知部が力率改善回路の誤動作を検知した場合、警告発生部が警告を発することにより、力率改善回路１が誤動作している旨をユーザに報知する。これにより、ユーザはスイッチング電源装置への電力供給を遮断する等の方法により、ＤＣ−ＤＣコンバータ回路の動作を停止させることができるので、力率改善回路が誤動作した状態でＤＣ−ＤＣコンバータ回路が動作し続けることによって高調波規制を逸脱することを未然に防ぐことができる。したがって、高調波規制の逸脱を防止することが可能なスイッチング電源装置を提供することができる。
【００２４】
本発明に係るスイッチング電源装置では、前記誤動作検知部は、前記力率改善制御回路による前記スイッチング素子のスイッチング制御が開始された後、前記力率改善制御回路の出力電圧を検出する検出回路と、前記検出された出力電圧に基づいて、前記力率改善回路の誤動作を検知する誤動作検知回路とを備え、前記警告発生部は、前記誤動作検知回路が前記力率改善回路の誤動作を検知した場合、警告を発することが好ましい。
【００２５】
上記の構成によれば、力率改善制御回路によるスイッチング素子のスイッチング制御が開始された後、検出回路が力率改善制御回路の出力電圧を検出する。ここで、力率改善回路が誤動作すると、検出回路が検出する電圧も変化する。これにより、誤動作検知回路は、力率改善回路の誤動作を検知することができる。
【００２６】
本発明に係るスイッチング電源装置では、前記誤動作検知部は、前記力率改善制御回路による前記スイッチング素子のスイッチング制御が開始された後、前記力率改善回路への入力交流電流を検出する検出部と、前記検出された入力交流電流に基づいて、前記力率改善回路の誤動作を検知する誤動作検知回路とを備え、前記警告発生部は、前記誤動作検知回路が前記力率改善回路の誤動作を検知した場合、警告を発することが好ましい。
【００２７】
上記の構成によれば、力率改善制御回路によるスイッチング素子のスイッチング制御が開始された後、検出部が力率改善回路への入力交流電流を検出する。ここで、力率改善回路が誤動作すると、検出部が検出する入力交流電流波形が変化する。これにより、誤動作検知回路は、力率改善回路の誤動作を検知することができる。
【００２８】
上記の課題を解決するために、本発明に係るスイッチング電源装置は、スイッチング素子を含み、前記スイッチング素子のスイッチング動作によって入力交流電圧を直流電圧に変換する力率改善回路と、前記変換された直流電圧を昇圧して負荷に供給するＤＣ−ＤＣコンバータ回路と、前記スイッチング素子のスイッチング制御を行なう力率改善制御回路とを備えるスイッチング電源装置であって、前記力率改善回路の誤動作を検知する誤動作検知部と、前記誤動作検知部が前記力率改善回路の誤動作を検知した場合、前記ＤＣ−ＤＣコンバータ回路の動作を停止させる停止部と、前記誤動作検知部が前記力率改善回路の誤動作を検知した場合、警告を発する警告発生部とを備えることを特徴としている。
【００２９】
上記の構成によれば、誤動作検知部が力率改善回路の誤動作を検知した場合、停止部がＤＣ−ＤＣコンバータ回路の動作を停止させるとともに、警告発生部が警告を発する。そのため、力率改善回路が誤動作した状態でＤＣ−ＤＣコンバータ回路が動作し続けることによって高調波規制を逸脱することを未然に防ぐことができる。したがって、高調波規制の逸脱を防止することが可能なスイッチング電源装置を提供することができる。
【発明の効果】
【００３０】
以上のように、本発明に係るスイッチング電源装置は、第１のスイッチング素子を含み、前記第１のスイッチング素子のスイッチング動作によって入力交流電圧を直流電圧に変換する力率改善回路と、前記変換された直流電圧を昇圧して負荷に供給するＤＣ−ＤＣコンバータ回路と、前記第１のスイッチング素子のスイッチング制御を行なう力率改善制御回路とを備えるスイッチング電源装置であって、前記力率改善回路の誤動作を検知する誤動作検知部と、前記誤動作検知部が前記力率改善回路の誤動作を検知した場合、前記ＤＣ−ＤＣコンバータ回路の動作を停止させる停止部とを備える構成である。
【００３１】
また、本発明に係るスイッチング電源装置は、本発明に係るスイッチング電源装置は、スイッチング素子を含み、前記スイッチング素子のスイッチング動作によって入力交流電圧を直流電圧に変換する力率改善回路と、前記変換された直流電圧を昇圧して負荷に供給するＤＣ−ＤＣコンバータ回路と、前記スイッチング素子のスイッチング制御を行なう力率改善制御回路とを備えるスイッチング電源装置であって、前記力率改善回路の誤動作を検知する誤動作検知部と、前記誤動作検知部が前記力率改善回路の誤動作を検知した場合、警告を発する警告発生部とを備える構成である。
【００３２】
したがって、高調波規制の逸脱を防止することが可能なスイッチング電源装置を提供できるという効果を奏する。
【図面の簡単な説明】
【００３３】
【図１】本発明の第１の実施の形態に係るスイッチング電源装置の構成を示す回路図である。
【図２】本発明の第２の実施の形態に係るスイッチング電源装置の構成を示す回路図である。
【図３】本発明の第３の実施の形態に係るスイッチング電源装置の構成を示す回路図である。
【図４】本発明の第４の実施の形態に係るスイッチング電源装置の構成を示す回路図である。
【図５】力率改善回路への入力電流波形の波形図であり、（ａ）は、力率改善回路の正常動作時の波形を示しており、（ｂ）は、力率改善回路の誤動作時の波形を示している。
【図６】本発明の第５の実施の形態に係るスイッチング電源装置の構成を示す回路図である。
【図７】本発明の第６の実施の形態に係るスイッチング電源装置の構成を示す回路図である。
【図８】本発明の第７の実施の形態に係るスイッチング電源装置の構成を示す回路図である。
【発明を実施するための形態】
【００３４】
以下、本発明の実施の形態について図面を用いて説明する。なお、図中同一または相当部分には同一符号を付してその説明は繰り返さない。
【００３５】
＜第１の実施の形態＞
本発明の第１の実施の形態について、図１に基づいて説明すれば以下のとおりである。
【００３６】
（スイッチング電源装置１００の構成）
図１は、本実施の形態に係るスイッチング電源装置１００の構成を示す回路図である。スイッチング電源装置１００は、力率改善部５１と、ＤＣ−ＤＣコンバータ部（ＤＣ−ＤＣコンバータ回路）５２と、入力端子ＴＩＮ１およびＴＩＮ２と、出力端子ＴＯＵＴ１およびＴＯＵＴ２とを備える。力率改善部５１は、ブリッジダイオードＢＤ１と、コンデンサＣ１と、力率改善回路１と、力率改善起動電源回路２と、力率改善制御回路３と、第１の検出回路４とを含む。ＤＣ−ＤＣコンバータ部５２は、ＤＣ−ＤＣ補助電源回路１１と、電圧検出回路１２と、１次側制御回路１３と、１次−２次伝達回路１４と、トランスＴ１と、トランジスタ（第２のスイッチング素子）Ｑ４と、コンデンサＣ６と、ダイオードＤ２とを含む。
【００３７】
力率改善回路１は、トランジスタ（スイッチング素子、第１のスイッチング素子）Ｑ１と、チョークコイルＬ１と、ダイオードＤ１と、コンデンサＣ２とを含む。コイル（補助巻線）Ｌ２は、力率改善補助電源回路を構成している。力率改善制御回路３は、トランジスタＱ１のスイッチング制御を行なう。力率改善起動電源回路２は、入力交流電圧に基づいて力率改善制御回路３に電圧を出力することにより、力率改善制御回路３を起動する。第１の検出回路４は、抵抗Ｒ１およびＲ２を含む。たとえば、トランジスタＱ１、Ｑ２はＭＯＳＦＥＴである。
【００３８】
力率改善部５１の構成をさらに詳しく説明する。入力端子ＴＩＮ１およびＴＩＮ２がブリッジダイオードＢＤ１の対応する入力端子にそれぞれ接続される。ブリッジダイオードＢＤ１の一方の出力端子と、コンデンサＣ１の一端と、チョークコイルＬ１の一端とが接続される。チョークコイルＬ１の他端と、ダイオードＤ１のアノードと、トランジスタＱ１のドレインとが接続される。トランジスタＱ１のゲートは、力率改善制御回路３の出力に接続される。ダイオードＤ１のカソードと、コンデンサＣ２の正電極と、抵抗Ｒ１の一端とが互いに接続される。抵抗Ｒ１の他端と、抵抗Ｒ２の一端と、力率改善制御回路３の入力とが接続される。すなわち、第１の検出回路の電圧検出結果が力率改善制御回路３に出力される。
【００３９】
続いて、ＤＣ−ＤＣコンバータ部５２の構成をさらに詳しく説明する。トランジスタＱ４は、ドレインが巻線Ｌ１１の他端に接続され、ゲートが１次側制御回路１３の出力に接続される。ＤＣ−ＤＣ補助電源回路１１は、入力が巻線Ｌ１３の一端に接続され、出力が１次側制御回路１３の入力に接続される。ダイオードＤ２のアノードが巻線Ｌ１２の一端に接続され、カソードがコンデンサＣ６の正電極と、電圧検出回路１２の入力と、出力端子ＴＯＵＴ１とに接続される。コンデンサＣ６の負電極と、巻線Ｌ１２の他端と、出力端子ＴＯＵＴ２とが接続される。電圧検出回路１２の電圧検出結果が１次−２次伝達回路１４を介して１次側制御回路１３に出力される。
【００４０】
このように、ＤＣ−ＤＣコンバータ部５２は、トランスＴ１と、トランスＴ１の１次側の巻線Ｌ１１に接続されたトランジスタＱ４と、トランジスタＱ４のスイッチング動作を制御する１次側制御回路１３とを備え、トランジスタＱ４のスイッチング動作によって、力率改善回路１からの直流電圧を昇圧する構成である。
【００４１】
ブリッジダイオードＢＤ１の他方の出力端子と、コンデンサＣ１の他端と、コイルＬ２の他端と、トランジスタＱ１のソースと、コンデンサＣ２の負電極と、抵抗Ｒ２の他端と、トランジスタＱ４のソースと、巻線Ｌ１３の他端とが共通の接続点に接続される。
【００４２】
力率改善起動電源回路２は、入力交流電圧に基づいて力率改善制御回路３に電圧を出力し、力率改善制御回路３を起動する。より詳細には、外部から入力端子ＴＩＮ１およびＴＩＮ２に供給される交流電圧は、ブリッジダイオードＢＤ１によって全波整流される。ブリッジダイオードＢＤ１から出力される電圧は、チョークコイルＬ１、ダイオードＤ１およびコンデンサＣ２によって整流平滑され、直流電圧となる。
【００４３】
力率改善制御回路３は、力率改善起動電源回路２から電力が供給されると、第１の検出回路４の電圧検出結果に基づいて、力率改善回路１におけるトランジスタＱ１のベースに制御電圧を出力し、トランジスタＱ１のスイッチング制御を行なう。より詳細には、力率改善制御回路３は、トランジスタＱ１のオン状態およびオフ状態のスイッチングを行なうことにより、ブリッジダイオードＢＤ１によって全波整流された電圧を昇圧して直流電圧に変換し、ＤＣ−ＤＣコンバータ部５２へ出力する。ここで、力率改善制御回路３によって昇圧される直流電圧は、外部から入力された交流電圧より高い電圧値を有する。また、力率改善制御回路３は、第１の検出回路４で検出される電圧値が一定となるようにトランジスタＱ１のオン状態およびオフ状態のスイッチングを行なう。
【００４４】
ＤＣ−ＤＣコンバータ部５２は、力率改善回路１から受けた直流電圧を昇圧して外部へ出力する。
【００４５】
より詳細には、トランジスタＱ１のスイッチング動作によってチョークコイルＬ１に磁気結合しているコイル（補助巻線）Ｌ２において電圧が誘起される。コイルＬ２において誘起された電圧は、力率改善制御回路３に供給される。
【００４６】
（高調波規制逸脱の防止）
スイッチング電源装置１００の以上の構成は、特許文献１に記載の従来のスイッチング電源装置にも含まれる既存の回路構成である。ここで、力率改善回路１が何らかの故障で停止した場合、後段のＤＣ−ＤＣコンバータ部５２が動作をし続けると、高調波規制を逸脱することになる。
【００４７】
そこで、本実施の形態に係るスイッチング電源装置１００は、第２の検出回路（誤動作検知部、検出回路）５と、誤動作検知回路（誤動作検知部）６と、停止回路（停止部）７とをさらに備えている。第２の検出回路５は、抵抗Ｒ３およびＲ４を含む。抵抗Ｒ３の一端は、ダイオードＤ１のカソードと、コンデンサＣ２の正電極と、抵抗Ｒ１の一端とに接続される。抵抗Ｒ３の他端は、抵抗Ｒ４の一端と、誤動作検知回路６の入力とに接続され、抵抗Ｒ４の他端は、トランジスタＱ１のソース等が接続される共通の接続点に接続される。
【００４８】
第２の検出回路５が検出した電圧は、誤動作検知回路６に入力される。誤動作検知回路６は停止回路７に接続され、さらに、停止回路７は１次側制御回路１３に接続される。
【００４９】
上記の構成において、力率改善回路１が誤動作するとコンデンサＣ２の電圧が所定値と異なるため、第２の検出回路５が検出する電圧も変化する。これにより、誤動作検知回路６は、力率改善回路１が誤動作したと判断し、力率改善回路１の誤動作を示す情報を停止回路７に入力する。
【００５０】
停止回路７は、力率改善回路１の誤動作を示す情報を受け取ると、１次側制御回路１３にトランジスタＱ４のスイッチング動作を停止させる。これにより、ＤＣ−ＤＣコンバータ部５２の動作が停止し、出力端子ＴＯＵＴ１およびＴＯＵＴ２に接続される負荷への電圧の供給が停止する。
【００５１】
以上のように、スイッチング電源装置１００は、力率改善回路１が誤動作すると、ＤＣ−ＤＣコンバータ部５２の動作が停止するように構成されているので、高調波規制を逸脱することを未然に防ぐことができる。
【００５２】
なお、スイッチング電源装置１００では、トランジスタＱ４のスイッチング動作を停止させることにより、ＤＣ−ＤＣコンバータ部５２の負荷への電圧供給を停止させていたが、ＤＣ−ＤＣコンバータ部５２の負荷への電圧供給を停止させる方法は、これに限定されない。
【００５３】
また、スイッチング電源装置１００では、力率改善回路１の誤動作を判定するために、第２の検出回路５によって力率改善回路１の出力電圧を検出していたが、第１の検出回路４が第２の検出回路５の機能を兼ね備えてもよい。この場合、第２の検出回路５を設ける代わりに、第１の検出回路４における抵抗Ｒ１と抵抗Ｒ２との間の接続点を、力率改善制御回路３の入力だけでなく、誤動作検知回路６の入力にも接続する。これにより、誤動作検知回路６は、第１の検出回路４が検出した電圧に基づいて、力率改善回路１の誤動作を検知することができる。
【００５４】
＜第２の実施の形態＞
本発明の第２の実施の形態について、図２に基づいて説明すれば以下のとおりである。本実施の形態は、第１の実施の形態に係るスイッチング電源装置１００と比較して、構成を変更したスイッチング電源装置２００に関する。
【００５５】
（スイッチング電源装置２００の構成）
図２は、本実施の形態に係るスイッチング電源装置２００の構成を示す回路図である。スイッチング電源装置２００は、力率改善部５１と、ＤＣ−ＤＣコンバータ部５２と、入力端子ＴＩＮ１およびＴＩＮ２と、出力端子ＴＯＵＴ１およびＴＯＵＴ２と、第２の検出回路５と、誤動作検知回路６と、停止回路（停止部）１７と、スイッチＳＷ１とを備える。すなわち、スイッチング電源装置２００は、第１の実施の形態に係るスイッチング電源装置１００において、停止回路７を、停止回路１７およびスイッチＳＷ１に置き換えた構成である。
【００５６】
スイッチＳＷ１は、力率改善回路１とＤＣ−ＤＣコンバータ部５２との間に設けられる。スイッチＳＷ１の導通／非導通を制御することにより、力率改善回路１からＤＣ−ＤＣコンバータ部５２への直流電圧の供給のＯＮ／ＯＦＦを制御することができる。
【００５７】
停止回路１７は、スイッチＳＷ１の導通／非導通を制御する回路である。停止回路１７の入力は、誤動作検知回路６の出力に接続されている。力率改善回路１が正常に動作している場合、停止回路１７は、スイッチＳＷ１が導通状態となるように制御する。
【００５８】
（高調波規制逸脱の防止）
一方、力率改善回路１が誤動作すると、第２の検出回路５で検出される電圧が変化し、誤動作検知回路６は、力率改善回路１が誤動作したと判断し、力率改善回路１の誤動作を示す情報を停止回路１７に入力する。停止回路１７は、力率改善回路１の誤動作を示す情報を受け取ると、スイッチＳＷ１を非導通状態に切り替える。これにより、力率改善回路１からＤＣ−ＤＣコンバータ部５２への直流電圧の供給が遮断され、ＤＣ−ＤＣコンバータ部５２は動作を停止する。
【００５９】
以上のように、スイッチング電源装置２００は、第１の実施の形態に係るスイッチング電源装置１００と同様、力率改善回路１が誤動作すると、ＤＣ−ＤＣコンバータ部５２の動作が停止するように構成されているので、高調波規制を逸脱することを未然に防ぐことができる。
【００６０】
＜第３の実施の形態＞
本発明の第３の実施の形態について、図３に基づいて説明すれば以下のとおりである。本実施の形態は、第１の実施の形態に係るスイッチング電源装置１００と比較して、構成を変更したスイッチング電源装置３００に関する。
【００６１】
（スイッチング電源装置３００の構成）
図３は、本実施の形態に係るスイッチング電源装置３００の構成を示す回路図である。スイッチング電源装置３００は、力率改善部５１と、ＤＣ−ＤＣコンバータ部５２と、入力端子ＴＩＮ１およびＴＩＮ２と、出力端子ＴＯＵＴ１およびＴＯＵＴ２と、第２の検出回路５と、誤動作検知回路６と、警告発生回路（警告発生部）８とを備える。すなわち、スイッチング電源装置２００は、第１の実施の形態に係るスイッチング電源装置１００において、停止回路７を警告発生回路８に置き換えた構成である。
【００６２】
警告発生回路８は、スピーカやランプなどの報知手段に接続されている。警告発生回路８の入力は、誤動作検知回路６の出力に接続されている。
【００６３】
（高調波規制逸脱の防止）
力率改善回路１が誤動作すると、第２の検出回路５で検出される電圧が変化するため、誤動作検知回路６は、力率改善回路１が誤動作したと判断し、力率改善回路１の誤動作を示す情報を警告発生回路８に入力する。警告発生回路８は、力率改善回路１の誤動作を示す情報を受け取ると、報知手段を動作させて、力率改善回路１が誤動作している旨をユーザに警告する。ユーザは、例えばスイッチング電源装置３００に電力を供給するＡＣコンセントを抜くことにより、ＤＣ−ＤＣコンバータ部５２の動作を停止させることができる。
【００６４】
以上のように、スイッチング電源装置３００は、力率改善回路１が誤動作すると、その旨をユーザに警告するように構成されているので、高調波規制を逸脱することを未然に防ぐことができる。
【００６５】
＜第４の実施の形態＞
本発明の第４の実施の形態について、図４および図５に基づいて説明すれば以下のとおりである。本実施の形態は、第１の実施の形態に係るスイッチング電源装置１００と比較して、構成を変更したスイッチング電源装置４００に関する。
【００６６】
（スイッチング電源装置４００の構成）
図４は、本実施の形態に係るスイッチング電源装置４００の構成を示す回路図である。スイッチング電源装置４００は、力率改善部５１と、ＤＣ−ＤＣコンバータ部５２と、入力端子ＴＩＮ１およびＴＩＮ２と、出力端子ＴＯＵＴ１およびＴＯＵＴ２と、第２の検出回路５と、停止回路７と、コイルＬ３およびＬ４と、誤動作検知回路（誤動作検知部）１６とを備える。すなわち、スイッチング電源装置４００は、第１の実施の形態に係るスイッチング電源装置１００において、第２の検出回路５を省略し、誤動作検知回路６を誤動作検知回路１６に置き換え、コイルＬ３およびＬ４をさらに備えた構成である。
【００６７】
コイルＬ３は、入力端子ＴＩＮ２とブリッジダイオードＢＤ１の対応する入力端子との間に設けられている。コイルＬ４は、コイルＬ３に磁気結合しており、誤動作検知回路１６に接続されている。これにより、コイルＬ３およびＬ４は、入力端子ＴＩＮ１およびＴＩＮ２の入力電流波形を検出する。誤動作検知回路１６は、コイルＬ３およびＬ４が検出する入力電流波形に基づいて、力率改善回路１の誤動作を検知する。
【００６８】
図５は、入力端子ＴＩＮ１およびＴＩＮ２の入力電流波形の波形図であり、（ａ）は、力率改善回路１の正常動作時の波形を示しており、（ｂ）は、力率改善回路１の誤動作時の波形を示している。
【００６９】
図５の（ａ）に示すように、力率改善回路１の正常動作時は、入力電圧の絶対値が所定以上の場合に、入力電流が入力電圧に応じて、緩やかに変化する。また、電流の周波数特性も、破線で示される規格値以下となる。
【００７０】
一方、図５の（ｂ）に示すように、力率改善回路１の誤動作時は、力率改善回路１の正常動作時に比べ、入力電流の入力電圧に対する変化が急峻となる。また、電流の周波数特性も、破線で示される規格値を超過する。
【００７１】
（高調波規制逸脱の防止）
誤動作検知回路１６は、力率改善回路１の動作状態に対する入力電流波形の上記のような特性に基づき、力率改善回路１の誤動作を検知する。すなわち、力率改善回路１が誤動作して、入力電流波形が図５の（ｂ）に示すような波形となった場合、誤動作検知回路１６は、力率改善回路１が誤動作していると判断し、力率改善回路１の誤動作を示す情報を停止回路７に入力する。
【００７２】
停止回路７は、力率改善回路１の誤動作を示す情報を受け取ると、１次側制御回路１３にトランジスタＱ４のスイッチング動作を停止させる。これにより、ＤＣ−ＤＣコンバータ部５２の動作が停止し、出力端子ＴＯＵＴ１およびＴＯＵＴ２への出力電圧の供給が停止する。
【００７３】
以上のように、スイッチング電源装置４００は、第１の実施の形態に係るスイッチング電源装置１００と同様、力率改善回路１が誤動作すると、ＤＣ−ＤＣコンバータ部５２の動作が停止するように構成されているので、高調波規制を逸脱することを未然に防ぐことができる。
【００７４】
＜第５の実施の形態＞
本発明の第５の実施の形態について、図６に基づいて説明すれば以下のとおりである。本実施の形態は、第４の実施の形態に係るスイッチング電源装置４００と比較して、構成を変更したスイッチング電源装置５００に関する。
【００７５】
（スイッチング電源装置５００の構成）
図６は、本実施の形態に係るスイッチング電源装置５００の構成を示す回路図である。スイッチング電源装置５００は、力率改善部５１と、ＤＣ−ＤＣコンバータ部５２と、入力端子ＴＩＮ１およびＴＩＮ２と、出力端子ＴＯＵＴ１およびＴＯＵＴ２と、コイルＬ３およびＬ４と、誤動作検知回路１６と、停止回路１７と、スイッチＳＷ１とを備える。すなわち、スイッチング電源装置５００は、第４の実施の形態に係るスイッチング電源装置４００において、停止回路７を、停止回路１７およびスイッチＳＷ１に置き換えた構成である。
【００７６】
スイッチＳＷ１および停止回路１７は、図２に示すスイッチＳＷ１および停止回路１７とそれぞれ同一である。力率改善回路１が正常に動作している場合、すなわち、入力端子ＴＩＮ１およびＴＩＮ２の入力電流波形が図５の（ａ）に示すような波形である場合、停止回路１７は、スイッチＳＷ１が導通状態となるように制御する。
【００７７】
（高調波規制逸脱の防止）
一方、力率改善回路１が誤動作して、入力端子ＴＩＮ１およびＴＩＮ２の入力電流波形が図５の（ｂ）に示すような波形となった場合、誤動作検知回路１６は力率改善回路１が誤動作したと判断し、力率改善回路１の誤動作を示す情報を停止回路１７に入力する。停止回路１７は、力率改善回路１の誤動作を示す情報を受け取ると、スイッチＳＷ１を非導通状態に切り替える。これにより、力率改善回路１からＤＣ−ＤＣコンバータ部５２への直流電圧の供給が遮断され、ＤＣ−ＤＣコンバータ部５２は動作を停止する。
【００７８】
以上のように、スイッチング電源装置５００は、第４の実施の形態に係るスイッチング電源装置４００と同様、力率改善回路１が誤動作すると、ＤＣ−ＤＣコンバータ部５２の動作が停止するように構成されているので、高調波規制を逸脱することを未然に防ぐことができる。
【００７９】
＜第６の実施の形態＞
本発明の第６の実施の形態について、図７に基づいて説明すれば以下のとおりである。本実施の形態は、第４の実施の形態に係るスイッチング電源装置４００と比較して、構成を変更したスイッチング電源装置６００に関する。
【００８０】
（スイッチング電源装置６００の構成）
図７は、本実施の形態に係るスイッチング電源装置６００の構成を示す回路図である。スイッチング電源装置６００は、力率改善部５１と、ＤＣ−ＤＣコンバータ部５２と、入力端子ＴＩＮ１およびＴＩＮ２と、出力端子ＴＯＵＴ１およびＴＯＵＴ２と、コイルＬ３およびＬ４と、誤動作検知回路１６と、警告発生回路８とを備える。すなわち、スイッチング電源装置６００は、第４の実施の形態に係るスイッチング電源装置４００において、停止回路７を警告発生回路８に置き換えた構成である。
【００８１】
警告発生回路８は、スピーカやランプなどの報知手段に接続されている。警告発生回路８の入力は、誤動作検知回路１６の出力に接続されている。
【００８２】
（高調波規制逸脱の防止）
力率改善回路１が誤動作して、入力端子ＴＩＮ１およびＴＩＮ２の入力電流波形が図５の（ｂ）に示すような波形となった場合、誤動作検知回路１６は力率改善回路１が誤動作したと判断し、力率改善回路１の誤動作を示す情報を停止回路１７に入力する。警告発生回路８は、力率改善回路１の誤動作を示す情報を受け取ると、報知手段を動作させて、力率改善回路１が誤動作している旨をユーザに警告する。ユーザは、例えばＡＣコンセントを抜くことにより、ＤＣ−ＤＣコンバータ部５２の動作を停止させることができる。
【００８３】
以上のように、スイッチング電源装置６００は、力率改善回路１が誤動作すると、その旨をユーザに警告するように構成されているので、高調波規制を逸脱することを未然に防ぐことができる。
【００８４】
＜第７の実施の形態＞
本発明の第７の実施の形態について、図８に基づいて説明すれば以下のとおりである。
【００８５】
（スイッチング電源装置７００の構成）
図８は、本実施の形態に係るスイッチング電源装置７００の構成を示す回路図である。スイッチング電源装置７００は、力率改善部５１と、ＤＣ−ＤＣコンバータ部５２と、入力端子ＴＩＮ１およびＴＩＮ２と、出力端子ＴＯＵＴ１およびＴＯＵＴ２と、コイルＬ３およびＬ４と、第２の検出回路５と、誤動作検知回路（誤動作検知部）２６と、停止回路（停止部）２７と、警告発生回路８とを備える。誤動作検知回路２６および停止回路２７以外の構成は、前記の第１〜第６の実施の形態におけるものと同一である。
【００８６】
誤動作検知回路２６は、図１〜図３に示す誤動作検知回路６の機能と、図４、図６および図７に示す誤動作検知回路１６の機能との両方の機能を有している。すなわち、誤動作検知回路２６は、第２の検出回路５で検出される電圧と、入力端子ＴＩＮ１およびＴＩＮ２の入力電流波形との両方に基づいて、力率改善回路１の誤動作を検知することができる。より具体的には、第２の検出回路５で検出される電圧が所定以上変化した場合、および入力端子ＴＩＮ１およびＴＩＮ２の入力電流波形が図５の（ｂ）に示すような波形となった場合の少なくともいずれかの場合に、誤動作検知回路２６は、力率改善回路１が誤動作していると判断し、力率改善回路１の誤動作を示す情報を停止回路２７に入力する。これにより、誤動作検知回路２６は、誤動作検知回路６および誤動作検知回路１６に比べ、より確実に力率改善回路１の誤動作を検知することができる。
【００８７】
停止回路２７は、図１および図４に示す停止回路７の機能と、図２および図６に示す停止回路１７の機能との両方の機能を有している。すなわち、停止回路２７は、力率改善回路１の誤動作を示す情報を受け取ると、１次側制御回路１３にトランジスタＱ４のスイッチングを停止させるとともに、スイッチＳＷ１を非導通状態に切り替える。これにより、力率改善回路１が誤動作した場合に、停止回路２７は、停止回路７および停止回路１７に比べ、より確実にＤＣ−ＤＣコンバータ部５２の動作を停止させることができる。
【００８８】
以上のように、スイッチング電源装置７００は、力率改善回路１が誤動作すると、ＤＣ−ＤＣコンバータ部５２の動作が停止するように構成されているので、高調波規制を逸脱することを未然に防ぐことができる。
【００８９】
＜付記事項＞
上述した実施の形態では、力率改善回路の誤動作が検知された場合、ＤＣ−ＤＣコンバータ回路の負荷への電圧供給を停止させるか、力率改善回路からＤＣ−ＤＣコンバータ回路への前記直流電圧の供給を停止させることにより、ＤＣ−ＤＣコンバータ回路の動作を停止させていたが、ＤＣ−ＤＣコンバータ回路の動作を停止させる具体的な方法は、これらに限定されず、周知のあらゆる方法を用いることができる。
【００９０】
また、力率改善回路の誤動作をユーザに警告する具体的な方法も、上述した実施の形態に記載した方法に限定されず、周知のあらゆる方法を用いることができる。
【００９１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００９２】
なお、本発明は以下のようにも表現できる。
【００９３】
本発明に係るスイッチング電源装置は、スイッチング素子を含み、前記スイッチング素子のスイッチング動作によって入力交流電圧を直流電圧に変換する力率改善回路と、前記変換された直流電圧を昇圧して負荷に供給するＤＣ−ＤＣコンバータ回路と、前記スイッチング素子のスイッチング制御を行なう力率改善制御回路と、前記入力交流電圧に基づいて前記力率改善制御回路に電圧を出力することにより、前記力率改善制御回路を起動する力率改善起動電源回路と、前記力率改善制御回路による前記スイッチング素子のスイッチング制御が開始された後、前記力率改善回路の出力電圧を検出する回路と、前記ＤＣ−ＤＣコンバータ回路電源回路の電圧出力を停止させる停止回路とを備えるスイッチング電源装置である。
【００９４】
本発明に係るスイッチング電源装置は、スイッチング素子を含み、前記スイッチング素子のスイッチング動作によって入力交流電圧を直流電圧に変換する力率改善回路と、前記変換された直流電圧を昇圧して負荷に供給するＤＣ−ＤＣコンバータ回路と、前記スイッチング素子のスイッチング制御を行なう力率改善制御回路と、前記入力交流電圧に基づいて前記力率改善制御回路に電圧を出力することにより、前記力率改善制御回路を起動する力率改善起動電源回路と、前記力率改善制御回路による前記スイッチング素子のスイッチング制御が開始された後、前記力率改善回路の出力電圧を検出する回路と、警告発生回路とを備えるスイッチング電源装置である。
【００９５】
本発明に係るスイッチング電源装置は、スイッチング素子を含み、前記スイッチング素子のスイッチング動作によって入力交流電圧を直流電圧に変換する力率改善回路と、前記変換された直流電圧を昇圧して負荷に供給するＤＣ−ＤＣコンバータ回路と、前記スイッチング素子のスイッチング制御を行なう力率改善制御回路と、前記入力交流電圧に基づいて前記力率改善制御回路に電圧を出力することにより、前記力率改善制御回路を起動する力率改善起動電源回路と、前記力率改善制御回路による前記スイッチング素子のスイッチング制御が開始された後、前記力率改善回路の出力電圧を検出する回路と、前記ＤＣ−ＤＣコンバータ回路電源回路の電圧出力を停止させる停止回路と、前記ＤＣ−ＤＣコンバータ回路電源回路に電源の供給を切断するスイッチを備えるスイッチング電源装置である。
【００９６】
本発明に係るスイッチング電源装置は、スイッチング素子を含み、前記スイッチング素子のスイッチング動作によって入力交流電圧を直流電圧に変換する力率改善回路と、前記変換された直流電圧を昇圧して負荷に供給するＤＣ−ＤＣコンバータ回路と、前記スイッチング素子のスイッチング制御を行なう力率改善制御回路と、前記入力交流電圧に基づいて前記力率改善制御回路に電圧を出力することにより、前記力率改善制御回路を起動する力率改善起動電源回路と、前記力率改善制御回路による前記スイッチング素子のスイッチング制御が開始された後、前記力率改善回路の不動作を検出する回路と、前記ＤＣ−ＤＣコンバータ回路電源回路の電圧出力を停止させる停止回路とを備えるスイッチング電源装置である。
【００９７】
本発明に係るスイッチング電源装置は、スイッチング素子を含み、前記スイッチング素子のスイッチング動作によって入力交流電圧を直流電圧に変換する力率改善回路と、前記変換された直流電圧を昇圧して負荷に供給するＤＣ−ＤＣコンバータ回路と、前記スイッチング素子のスイッチング制御を行なう力率改善制御回路と、前記入力交流電圧に基づいて前記力率改善制御回路に電圧を出力することにより、前記力率改善制御回路を起動する力率改善起動電源回路と、前記力率改善制御回路による前記スイッチング素子のスイッチング制御が開始された後、前記力率改善回路の不動作を検出する回路と、警告発生回路とを備えるスイッチング電源装置である。
【００９８】
本発明に係るスイッチング電源装置は、スイッチング素子を含み、前記スイッチング素子のスイッチング動作によって入力交流電圧を直流電圧に変換する力率改善回路と、前記変換された直流電圧を昇圧して負荷に供給するＤＣ−ＤＣコンバータ回路と、前記スイッチング素子のスイッチング制御を行なう力率改善制御回路と、前記入力交流電圧に基づいて前記力率改善制御回路に電圧を出力することにより、前記力率改善制御回路を起動する力率改善起動電源回路と、前記力率改善制御回路による前記スイッチング素子のスイッチング制御が開始された後、前記力率改善回路の不動作を検出する回路と、前記ＤＣ−ＤＣコンバータ回路電源回路の電圧出力を停止させる停止回路と、前記ＤＣ−ＤＣコンバータ回路電源回路に電源の供給を切断するスイッチを備えるスイッチング電源装置である。
【産業上の利用可能性】
【００９９】
本発明は、特に、高調波対応の力率改善回路を用いたスイッチング電源装置に好適である。
【符号の説明】
【０１００】
１  力率改善回路
２  力率改善起動電源回路
３  力率改善制御回路
４  第１の検出回路
５  第２の検出回路（誤動作検知部、検出回路）
６  誤動作検知回路（誤動作検知部）
７  停止回路（停止部）
８  警告発生回路（警告発生部）
１１  ＤＣ−ＤＣ補助電源回路
１２  電圧検出回路
１３  １次側制御回路
１４  １次−２次伝達回路
１６  誤動作検知回路（誤動作検知部）
１７  停止回路（停止部）
２６  誤動作検知回路（誤動作検知部）
２７  停止回路（停止部）
５１  力率改善部
５２  ＤＣ−ＤＣコンバータ部
１００  スイッチング電源装置
２００  スイッチング電源装置
３００  スイッチング電源装置
４００  スイッチング電源装置
５００  スイッチング電源装置
６００  スイッチング電源装置
７００  スイッチング電源装置
ＢＤ１  ブリッジダイオード
Ｃ１  コンデンサ
Ｃ２  コンデンサ
Ｃ６  コンデンサ
Ｄ１  ダイオード
Ｄ２  ダイオード
Ｌ１  チョークコイル
Ｌ２  コイル
Ｌ３  コイル
Ｌ４  コイル
Ｌ１１  巻線
Ｌ１２  巻線
Ｌ１３  巻線
Ｑ１  トランジスタ（スイッチング素子、第１のスイッチング素子）
Ｑ４  トランジスタ（第２のスイッチング素子）
Ｒ１  抵抗
Ｒ２  抵抗
Ｒ３  抵抗
Ｒ４  抵抗
ＳＷ１  スイッチ
Ｔ１    トランス
ＴＩＮ１  入力端子
ＴＩＮ２  入力端子
ＴＯＵＴ１  出力端子
ＴＯＵＴ２  出力端子
【図１】
2013223358.tif 000003
【図２】
2013223358.tif 000004
【図３】
2013223358.tif 000005
【図４】
2013223358.tif 000006
【図５】
2013223358.tif 000007
【図６】
2013223358.tif 000008
【図７】
2013223358.tif 000009
【図８】
2013223358.tif 000010